【事件の表示】
　平成　７年特許願第１７９３３８号「生産時点情報管理端末」拒絶査定に対する審判事件［平成　９年　１月１０日出願公開、特開平　９−　　６４１２］について、次のとおり審決する。
【結　論】
　本件審判の請求は、成り立たない。
【理　由】
 １．手続の経緯、本願発明の要旨
本願は、平成７年６月２１日の出願であって、その発明の要旨は、平成１０年９月２１日付け、及び平成１１年２月２２日付け手続補正書によって補正された明細書の記載からみて、特許請求の範囲の請求項１に記載された次のとおりのものと認められる。
「液晶ディスプレイパネル上に透明タッチパネルスイッチを付加したタッチパネルスイッチ付き表示部と、製造設備側の１軸ロボットを接続するためのロボットコントローラ又はサーボモータを接続するためのサーボアンプが少なくとも接続されるシリアルインターフェースと、前記製造設備側のセンサ又はバルブが少なくとも接続されるパラレルインターフェースと、前記シリアルインターフェース及びパラレルインターフェースを介して製造設備の制御系から、該製造設備の稼動時間を含む稼動情報,製品の生産数を含む生産情報、設備停止時間を含むアラーム／停止情報を受ける中央演算処理部とを有し、
　前記中央演算処理部は前記製造設備側の機器と前記シリアルインターフェース及びパラレルインターフェースを介し接続されて前記製造設備を制御するシーケンスブログラムを実行するためのプログラマプルコントローラ部を構成しており、
　さらに、前記表示部は、前記製造設備の稼動時間を含む稼動情報、製品の生産数を含む生産情報、設備停止時間を含むアラーム／停止情報の少なくともいずれかを前記液晶ディスプレイパネルで表示する機能を有するとともに、前記透明タッチパネルスイッチの使用時において、前記製造設備を操作するためのタッチキーを表す指示情報を前記液晶ディスプレイパネルで表示して操作スイッチとして機能することを特徴とする生産時点情報管理端末。」
　
２．引用刊行物
　これに対して、原審での拒絶の理由で引用された、特開平７−１１６９４６号公報（平成７年５月９日公開）（以下、「引用刊行物１」という。）には、生産管理装置に関して以下の事が記載されている。
【０００３】
【発明が解決しようとする課題】ところで、上記したような従来の生産管理装置は、生産管理情報処理機能のみで、個々の製造設備（設備機械）の操作盤とは切り離されており、作業者は、生産管理装置の操作と製造設備の操作盤の操作とを個別に実行しなければならず、作業性等の問題があった（例えば製造中断後復帰する場合等）。
【０００７】
【課題を解決するための手段】上記目的を達成するために、本発明の生産管理装置は、少なくとも１つの製造設備の制御系からの信号を受けて、該製造設備の稼動時間を含む稼動情報、製品の生産数を含む生産情報、前記製造設備の製造工程の製造中断情報、該製造工程の進捗状況情報の少なくともいずれかを表示する構成を持ち、さらに製造設備を操作するための操作スイッチとしてタッチパネルスイッチ付き表示部を設け、複数の表示、指示情報を切り換え表示可能な構成としている。
【０００８】
【作用】本発明の生産管理装置においては、製造設備（設備機械）を操作する操作スイッチとしてタッチパネルスイッチを表示部に一体化しているため、製造設備の操作盤としての機能と、生産管理のための情報処理を行う生産管理端末装置機能とを併せ持つことが可能となり、各種操作を行う場合の作業性の改善を図ることができ、省スペース化やコスト低減を図ることが可能である。
【００１０】
　図１は本発明の実施例のハードウェア構成図、図２は実施例のソフトウェア構成図、図３はタッチパネルスイッチを一体化した表示部の画面表示の１例を示す。これらの図において、生産管理装置１は、中央演算処理部（ＣＰＵ）２、メモリー３、前面パネルに配置された表示部４、パラレルインターフェース（パラレルＩ／Ｆ）５、シリアルインターフェース（シリアルＩ／Ｆ）６を有している。これらの中央演算処理部２乃至シリアルインターフェース６は従来の生産管理装置機能を果すために必要な部分であり、さらに製造設備（設備機械）２０の操作盤機能を果すために、表示部４をタッチパネルスイッチ付き表示部とすると共にタッチパネル管理部７及びセントロニクス・インターフェース（プリンタ用インターフェース）８が生産管理装置１に設けられている。
【００１１】
　前記タッチパネルスイッチ付き表示部４は、液晶ディスプレイパネル上に透明タッチパネルスイッチを付加したもので、タッチパネルスイッチ使用時（製造設備操作時）には液晶ディスプレイ画面の切り換えによって図３のようにタッチパネルスイッチのタッチキー（押圧位置）４ａ乃至４ｇを表す指示情報を液晶ディスプレイ画面上に表示したり、タッチパネルスイッチ不使用時（製造設備についての表示情報を表示する場合）には、液晶ディスプレイ画面の切り換えによってタッチパネルスイッチのタッチキー４ａ乃至４ｇを消して前記各種データ（製造設備の稼動時間を含む稼動情報、製品の生産数を含む生産情報、前記製造設備の製造工程の製造中断情報、該製造工程の進捗状況情報等）を表示したりすることができる。
【００１３】
　上記のような生産管理装置１は、信号線路を介してプリント基板に電子部品を搭載する電子部品挿入機、あるいは電子部品装着機等を備えた製造設備２０の制御系に接続される。すなわち、生産管理装置１内の中央演算処理部２がパラレルインターフェース５を介して製造設備２０の制御系に接続される。なお、パラレルインターフェース５には他の機器も接続できる。
【００１４】
　製造設備２０は各種センサを備えており、該製造設備の制御系から製造設備の稼動時間を含む稼動情報と、製品の生産数を含む生産情報と、設備停止時間を含むアラーム／停止情報（製造工程の製造中断情報、製造工程の進捗状況情報）等がパラレルインターフェース５を介して中央演算処理部２に入力される。前記稼働情報には、稼働時間の他に稼働開始時刻、稼働終了時刻、稼働率、停止理由等を含めることができる。また、前記生産情報には、生産数の他に良品数、歩留り、理由別不良品数等を含めることができる。さらに、アラーム／停止情報には、設備停止時間の他にアラーム別停止時間、アラーム発生回数、理由別停止時間、停止回数等を含めることができる。
【００１７】
　図２の枠３０内に示すように、「データ集計管理」、「シリアルデータ管理」、シリアルデータの送受信を制御する「送受信コントロール」、パラレルインターフェース５を管理する「パラレルＩ／Ｏ管理」、各種データのデータ変換のための「データ変換部」、表示部４を制御するための「表示コントロール」の各ソフトウェア構成が図１のハードウェア構成と共に従来の生産管理装置機能を果すために用いられている。さらに、製造設備（設備機械）２０の操作盤機能を果すために、時刻データ管理のための「時計機能管理」、表示部４に一体化されたタッチパネルスイッチを制御する「タッチパネル制御部」、タッチパネルスイッチの押圧により作動する「設備操作スイッチ」、プリンタを制御するための「プリンタコントロール」の各ソフトウェア構成が付加されている。なお、「ＰＯＰＳ用モニタ」は上記内部ソフトウェア全体を管理するためのソフトウェアである。前記中央演算処理部２はメモリー３に格納されたこれらのソフトウェアのプログラムに従って演算処理を実行する。
【００１８】
　図３はタッチパネルスイッチ付き表示部４の液晶ディスプレイ画面の表示の１例であり、略上半分が従来の生産管理装置機能に関する表示部分であり、製造設備２０の実績状況のデータ（表示情報）を表示している。また、略下半分がタッチパネルスイッチのタッチキー４ａ乃至４ｇについての指示情報を表示した製造設備の操作盤機能に関する表示部分である。この場合、タッチキーの押圧操作により製造設備の操作が可能であり、各タッチキーは操作スイッチとして働くことができる。
【００２６】
【発明の効果】　以上説明したように、本発明の生産管理装置によれば、生産管理装置機能と、設備作動用操作盤機能とを一体化でき、装置の多機能化、多目的化、作業性改善、装置の小型化、省スペース化、及び大幅なコスト低減が可能である。
　
　上記各記載から、引用刊行物１記載の生産管理装置は、
　パラレルインターフェース（パラレルＩ／Ｆ）５、シリアルインターフェース（シリアルＩ／Ｆ）６を有し、該インターフェースは製造設備２０の制御系に接続され、
　生産管理装置は中央演算処理部２を有し、製造設備の制御系から製造設備の稼動時間を含む稼動情報と、製品の生産数を含む生産情報と、設備停止時間を含むアラーム／停止情報（製造工程の製造中断情報、製造工程の進捗状況情報）等がパラレルインターフェース５を介して中央演算処理部２に入力され、
　タッチパネルスイッチの液晶ディスプレイ画面には各種データ（製造設備の稼動時間を含む稼動情報、製品の生産数を含む生産情報、前記製造設備の製造工程の製造中断情報、該製造工程の進捗状況情報等）が表示され、
タッチパネルスイッチにより製造設備の操作が可能であり、各タッチキーは操作スイッチとして働くものであるから、結局引用刊行物１には以下のものが記載されている事となる。
「液晶ディスプレイパネル上に透明タッチパネルスイッチを付加したタッチパネルスイッチ付き表示部と、製造設備の制御系が接続されるシリアルインターフェースと、記製造設備の制御系に接続されるパラレルインターフェースと、前記シリアルインターフェース及びパラレルインターフェースを介して製造設備の制御系から、該製造設備の稼動時間を含む稼動情報,製品の生産数を含む生産情報、設備停止時間を含むアラーム／停止情報を受ける中央演算処理部とを有し、前記表示部は、前記製造設備の稼動時間を含む稼動情報、製品の生産数を含む生産情報、設備停止時間を含むアラーム／停止情報の少なくともいずれかを前記液晶ディスプレイパネルで表示する機能を有するとともに、前記透明タッチパネルスイッチの使用時において、前記製造設備を操作するためのタッチキーを表す指示情報を前記液晶ディスプレイパネルで表示して操作スイッチとして機能することを特徴とする生産時点情報管理端末。」
　
　同じく引用された特開平４−１８２７０４号公報（以下「引用刊行物２」と言う）には、メッセージシーケンサに関して以下のことが記載されている。
　又、かかるシーケンサーを機械装置に用いても、（略）当然、操作パネル盤とシーケンサとを接続するための配線を必要とし、（略）。本発明は、上述した課題を解決するめためになされたものであり、プログラム可能としたシーケンサーと、マンマシンインターフェースとしての表示部およびスイッチとを一体化して、制御盤および操作パネル盤のシンプル化および標準化を図ったメッセージシーケンサーを提供する（略）ことを目的とする。（第２頁上右欄８行〜同下左欄８行）
　第１図に本発明のメッセージシーケンサーの使用例を示しており、シーケンサー部５０の全面部には、マンマシンインターフェース部６０として、座標入力用の透明タッチパネルを貼り合わせた表示器（ここでは液晶タイプのもの）６１および必要最低限のスイッチ６２、６３、６４を備えており、当該シーケンサー部５０が制御する機械装置の筐体７０の所定部に設ける操作パネル盤に替えて前記マンマシンインターフェイス部６０が装着される。このシーケンサー部５０は、例えばリミットスイッチや温度計よりの信号を入力として、その出力により、ポンプ、ヒータ、バルブ等を直接駆動する。（第２頁下右欄４行〜同１６行）
　
３．対比・判断
　本願請求項１記載のもの（以下「前者」と言う）と引用刊行物１に記載されたもの（以下「後者」と言う）を比較すると、両者は
「液晶ディスプレイパネル上に透明タッチパネルスイッチを付加したタッチパネルスイッチ付き表示部と、製造設備が接続されるシリアルインターフェースと、記製造設備に接続されるパラレルインターフェースと、前記シリアルインターフェース及びパラレルインターフェースを介して製造設備から、該製造設備の稼動時間を含む稼動情報,製品の生産数を含む生産情報、設備停止時間を含むアラーム／停止情報を受ける中央演算処理部とを有し、前記表示部は、前記製造設備の稼動時間を含む稼動情報、製品の生産数を含む生産情報、設備停止時間を含むアラーム／停止情報の少なくともいずれかを前記液晶ディスプレイパネルで表示する機能を有するとともに、前記透明タッチパネルスイッチの使用時において、前記製造設備を操作するためのタッチキーを表す指示情報を前記液晶ディスプレイパネルで表示して操作スイッチとして機能することを特徴とする生産時点情報管理端末。」である点で一致し以下の２点で相違するものと認められる。
　相違点１．前者の「中央演算処理部は（前記）製造設備側の機器と（前記）シリアルインターフェース及びパラレルインターフェースを介し接続されて前記製造設備を制御するシーケンスブログラムを実行するためのプログラマプルコントローラ部を構成し」、シリアルインターフェース及びパラレルインターフェースは製造設備の制御系と接続されているのに対して、後者の製造設備のプログラマプルコントローラ部は製造設備に設けられており、各インターフェースは製造設備のプログラマプルコントローラ部と接続されている点。
　相違点２．前者のシリアルインターフェースは製造設備側の１軸ロボットを接続するためのロボットコントローラ又はサーボモータを接続するためのサーボアンプが少なくとも接続され、パラレルインターフェースは製造設備側のセンサ又はバルブが少なくとも接続される構成であるのに対して、後者ではインターフェースには電子部品を搭載する電子部品挿入機、あるいは電子部品装着機等を備えた製造設備あるいは他の機器を接続するとしている点。
上記各相違点を検討する。
　相違点１に関して、プログラマブルコントローラ（プログラム可能なシーケンサー）において、シーケンサー部とマンマシンインターフェースとしての表示部およびスイッチとをマンマシンインターフェース付きシーケンサとして一体化し、操作パネル盤とシーケンサとを接続するための配線を不要とすると共に、リミットＳＷ、温度計、ポンプ、ヒータ、バルブ等とはシーケンサの中央処理装置に接続された入出力部（インターフェース）を介して信号の授受を行う構成とすることは引用刊行物２に示されるようによく知られた技術である。してみれば、引用刊行物１記載のものにおいて、製造設備の操作盤であるマンマシンインターフェースが設けてある生産管理装置１と製造設備の制御系（コントローラ部）をインターフェースで接続する構成に替えて、生産管理装置１と製造設備の制御系（コントローラ部）を一体化し、生産管理装置１の中央演算処理部が製造設備を制御するシーケンスブログラムを実行するためのプログラマプルコントローラとしても機能する構成とし、該制御系（コントローラ部）と製造設備の温度計、ポンプ、ヒータ、バルブ、即ち、サーボアンプ、センサ、バルブをパラレル又はシシリアルのインターフェースで接続する構成とするこにより、コントローラの構造を簡素化を計ることに格別の技術力を要するとは認められない。
　相違点２に関して、引用刊行物１記載のものでは製造設備２０をプリント基板に電子部品を搭載する電子部品挿入機、あるいは電子部品装着機等とするのみであるが、製造設備に１軸ロボットを用いることは広く行われていることであり、製造設備にセンサ又はバルブを設けることも引用刊行物２示されるように周知の事項である。また、装置間で信号の授受を行うインターフェースの形式は、授受される信号の形態に応じて適宜決定すれば良いことである。してみれば、本願請求項１記載の発明において、「シリアルインターフェースは製造設備側の１軸ロボットを接続するためのロボットコントローラ又はサーボモータを接続するためのサーボアンプが少なくとも接続され、パラレルインターフェースは製造設備側のセンサ又はバルブが少なくとも接続される」構成とした点は、製造設備設計時の選択的事項を記載したにすぎないもとの認められる。
　
４．結び
　以上のとおり、本願の特許請求の範囲に記載された発明は、引用刊行物１及び２に記載されたものに基づいて当業者が容易に発明することができたものと認められるから、本願は、特許法第２９条第２項の規定により特許を受けることができない。
　よつて、結論のとおり審決する。